(57)【特許請求の範囲】
【請求項１】
給糸ボビン搬送装置と、給糸ボビンの大小径端部判別装置と、前記給糸ボビン搬送装置
の搬出端側に偏って設置された給糸ボビン開放装置と、トレイと、トレイの上方に設置さ
れた案内位置決め装置と、制御システムと、を備える自動ワインダの給糸ボビン装着装置
であって、
前記給糸ボビン開放装置は、前記案内位置決め装置の上方に設置された第１支持体と、
第２支持体と、第３支持体と、伸縮駆動機構と、を備え、前記伸縮駆動機構は、前記第１
支持体、前記第２支持体及び前記第３支持体の伸縮動作をそれぞれ駆動する三つの第１シ
リンダと、第２シリンダと、第３シリンダと、を備え、前記第１シリンダと、前記第２シ
リンダと、前記第３シリンダとは、制御システムによって各自の独立動作を制御され、前
記制御システムは、前記給糸ボビンの大小径端部判別装置の判別結果によって、前記伸縮
駆動機構が前記第１支持体、前記第２支持体、前記第３ 支持体を駆動する伸縮動作を制御し、前記給糸ボビン搬送装置が前記給糸ボビン開放装置における前記第１支持体上まで搬送された前記給糸ボビンを開放させ、前記第２支持体または前記第３支持体によって前記給糸ボビンの小径端部の一端を受け止め、前記給糸ボビンの大径端部の一端を下方に向かって前記案内位置決め装置に落下させた後、前記トレイに装着し、
前記給糸ボビン開放装置は、二枚の平行な側板からなる給糸ボビン通路をさらに備え、
前記給糸ボビン通路の底部に前記第１支持体、前記第２支持体、前記第３支持体が設置され、前記第１支持体は矩形状の平板であり、前記第２支持体と前記第３支持体は棒状である、
ことを特徴とする自動ワインダの給糸ボビン装着装置。
【請求項２】
前記第１支持体は傾斜して設置され、且つ前記給糸ボビン搬送装置の搬出端に近い一端
は他端より高く、前記第２支持体と前記第３支持体は前記第１支持体の下方に設置され、
前記第２支持体は前記第１支持体の高い一端側に偏っており、前記第３支持体は前記第１
支持体の低い一端側に偏っていることを特徴とする請求項１に記載の自動ワインダの給糸
ボビン装着装置。  
【請求項３】
前記給糸ボビン搬送装置はモータに駆動されたコンベヤを備えていることを
特徴とする請求項１に記載の自動ワインダの給糸ボビン装着装置。
【請求項４】
前記案内位置決め装置は、上漏斗と、前記上漏斗の下方に設置された下漏斗と、を備え
、前記上漏斗の上端口は前記給糸ボビン長さより大きく、前記上漏斗の下端口は前記下漏
斗の上端口より小さく、前記下漏斗の下端口は前記下漏斗の前記上端口より小さいことを
特徴とする請求項１または３に記載の自動ワインダの給糸ボビン装着装置。
【請求項５】
請求項１乃至４の何れかの一項に記載の自動ワインダの給糸ボビン装着装置の給糸ボビ
ン装着方法であって、
トレイ式自動ワインダにおいて、前記給糸ボビンが前記給糸ボビン搬送装置で搬送過程
中に前記給糸ボビンの前記大小径端部判別装置を介して、前記給糸ボビンの前記大小径端
部判別装置によって前記給糸ボビンの前記大小径端部の前後方向を判別し、且つ前記制御
システムに判別結果を伝送し、前記給糸ボビン搬送装置は前記給糸ボビンを前記給糸ボビ
ン開放装置における支持位置にある前記第１支持体上に搬送しており、前記案内位置決め
装置の下方で前記トレイが前記給糸ボビン装着を待機している際、前記制御システムは前
記給糸ボビンの前記大小径端部判別装置の判別結果によって、前記伸縮駆動機構が前記第
１支持体、前記第２支持体及び前記第３支持体の伸縮動作を駆動することを制御し、前記
第１支持体は前記支持位置を離れ、前記給糸ボビンを開放して落下させ、さらに前記第２
支持体または前記第３支持体によって、落下過程における前記給糸ボビンの前記小径端部
の一端を受け止め、前記給糸ボビンの前記大径端部の一端を下方に向かって前記案内位置
決め装置に落下させた後、前記トレイに装着し、そして、前記給糸ボビン搬送装置は前記
給糸ボビン開放装置に次の給糸ボビンを搬送させ、前記給糸ボビン装着の動作を順次に循
環的に完成する、
ことを特徴とする自動ワインダの給糸ボビン装着装置の給糸ボビン装着方法。
【請求項６】
前記給糸ボビンが前記給糸ボビン搬送装置において搬出端まですぐ到着する際、前記第
１支持体上に前記給糸ボビンをまだ開放していないと、前記制御システムは前記給糸ボビ
ン搬送装置の運転を停止することを制御し、前記第１支持体上に前記給糸ボビンがなくな
った後、前記給糸ボビン搬送装置を動作させ、前記給糸ボビン開放装置において前記支持
位置にある前記第１支持体上に前記給糸ボビンを搬送し、そして、前記給糸ボビン装着の
全ての動作を完成することを特徴とする請求項５に記載の自動ワインダの給糸ボビン装着
装置の給糸ボビン装着方法。
【発明の詳細な説明】
【技術分野】
【０００１】
本発明は紡織機械製造の技術分野に属し、具体的には自動ワインダの給糸ボビン装着装置及びその装着方法に関する。
【背景技術】
【０００２】
トレイ式自動ワインダは、大きなマガジンで集中的に給糸し、給糸ボビンを自動的に処理することで、精紡機とのフレキシブル連結を実現した。先端的な制御技術を用い、自己診断、自己供給の全工程監視機能を実現し、設備の自動化を大幅に向上した。高い自動化性能を有し、知能化が一定の水準に達した。
【０００３】
トレイ式自動ワインダは、知能化のマガジンで集中的に給糸する。給糸ボビンを人工的に装着する必要がなくなり、精紡機から糸が巻かれた給糸ボビン箱のみを人工的に自動ワインダまで搬送させて、糸を巻き取ることができ、精紡機とのフレキシブル連結を実現した。給糸ボビンの需要量によってマガジン振動トレイにより振動周波数を自動的に調整し、給糸ボビンをタイミング良く供給することを確保する。給糸ボビンの大小径端部判別装置は給糸ボビンの大小径端部を自動的に判別し、そして、コンベヤによって案内位置決め装置に搬送し、給糸ボビン開放装置及び案内位置決め装置によって給糸ボビンをトレイ上に正確的且つ有効的に落下させる。
【０００４】
従来のトレイ式自動ワインダは、マガジン振動トレイから搬出された給糸ボビンを給糸ボビンの大小径端部判別装置を介して判別した後、給糸ボビン開放装置と漏斗の位置決め作用によって下方に位置するトレイ上に装着され、通常の給糸ボビン装着速度は一般に３０個/分程度であり、後続で糸掛け機構を２セット配置し、糸掛け能力は４０〜４２番手/分であり、このような場合、給糸ボビン装着能力は全体効率を制限するボトルネック問題となる。
【０００５】
現在、自動ワインダの紡錘数量は拡大する傾向があり、各自動ワインダは一般の６０紡錘から７２紡錘へ、または更なる高数量へ発展する。これにより、給糸ボビン装着の能力に対して高く要求され、特に太糸の生産にとって、より高く要求される。
【０００６】
従来技術の給糸ボビン開放装置は、構造が複雑で、体積が大きく、重量が重く、給糸ボビンを開放する運動慣性が大きいため、給糸ボビン装着速度をこれ以上に向上し難く、且つ給糸ボビンの引っ掛かるなどの現象がよく発生し、給糸ボビン装着効率を低下させる。
【発明の概要】
【発明が解決しようとする課題】
【０００７】
如何なる自動ワインダの給糸ボビン装着装置及びその装着方法を提供し、給糸ボビン開放装置は簡単且つコンパクトであり、給糸ボビンを開放する運動慣性が小さく、動程が短く、給糸ボビン装着のスピートを大幅に向上することができ、且つ給糸ボビンの引っ掛かる現象を回避することができる。これは現在本技術分野において早急に解決しなければならない課題である。
【課題を解決するための手段】
【０００８】
本発明は従来技術に存在する課題及び欠点を解決するため、自動ワインダの給糸ボビン装着装置及びその装着方法を提供し、その給糸ボビン開放装置の構造は簡単且つコンパクトであり、給糸ボビンを開放する運動慣性が小さく、動程が短く、給糸ボビン装着のスピートを大幅に向上することができ、且つ給糸ボビンの引っ掛かる現象を回避することができる。
【０００９】
本発明の目的は以下の技術案によって実現させる。
【００１０】
給糸ボビン搬送装置と、給糸ボビンの大小径端部判別装置と、前記給糸ボビン搬送装置の搬出端側に偏って設置された給糸ボビン開放装置と、トレイと、トレイの上方に設置された案内位置決め装置と、制御システムと、を備える自動ワインダの給糸ボビン装着装置であって、
前記給糸ボビン開放装置は、前記案内位置決め装置の上方に設置された第１支持体と、第２支持体と、第３支持体と、伸縮駆動機構と、を備え、前記制御システムは、給糸ボビンの大小径端部判別装置の判別結果によって、前記伸縮駆動機構が前記第１支持体、第２支持体、第３支持体を駆動する伸縮動作を制御し、前記給糸ボビン搬送装置が前記給糸ボビン開放装置における第１支持体上まで搬送された給糸ボビンを開放させ、前記第２支持体または前記第３支持体によって給糸ボビンの小径端部の一端を受け止め、給糸ボビンの大径端部の一端を下方に向かって前記案内位置決め装置に落下させた後、前記トレイに装着することを特徴とする。
【００１１】
上記の技術案をさらに改善し、前記給糸ボビン開放装置は、二枚の平行な側板からなる給糸ボビン通路をさらに備え、前記給糸ボビン通路の底部に第１支持体、第２支持体、第３支持体が設置され、前記第１支持体は矩形状の平板であり、前記第２支持体と前記第３支持体は棒状である。
【００１２】
上記の技術案をさらに改善し、前記第１支持体は傾斜して設置され、且つ前記給糸ボビン搬送装置の搬出端に近い一端は他端より高く、前記第２支持体と前記第３支持体は前記第１支持体の下方に設置され、前記第２支持体は前記第１支持体の高い一端側に偏っており、前記第３支持体は前記第１支持体の低い一端側に偏っている。
【００１３】
上記の技術案をさらに改善し、前記給糸ボビン搬送装置はモータに駆動されたコンベヤを備え、前記給糸ボビンの大小径端部判別装置はドア式センサであり、前記ドア式センサは前記コンベヤの上方を横切って、前記ドア式センサと前記コンベヤの頂面との間に給糸ボビンを通過させる空間を残しており、前記ドア式センサの信号出力端は前記制御システムと接続されている。
【００１４】
上記の技術案をさらに改善し、前記案内位置決め装置は、上漏斗と、上漏斗の下方に設置された下漏斗と、を備え、前記上漏斗の上端口は前記給糸ボビン長さより大きく、前記上漏斗の下端口は前記下漏斗の上端口より小さく、前記下漏斗の下端口は下漏斗の上端口より小さい。
【００１５】
本発明の上記の自動ワインダの給糸ボビン装着装置の給糸ボビン装着方法は、トレイ式自動ワインダにおいて、給糸ボビンが前記給糸ボビン搬送装置で搬送過程中に前記給糸ボビンの大小径端部判別装置を介して、前記給糸ボビンの大小径端部判別装置によって給糸ボビンの大小径端部の前後方向を判別し、且つ前記制御システムに判別結果を伝送し、前記給糸ボビン搬送装置は給糸ボビンを前記給糸ボビン開放装置における支持位置にある第１支持体上に搬送しており、前記案内位置決め装置の下方でトレイが給糸ボビン装着を待機している際、前記制御システムは前記給糸ボビンの大小径端部判別装置の判別結果によって、前記伸縮駆動機構が前記第１支持体、第２支持体、第３支持体の伸縮動作を駆動することを制御し、前記第１支持体は支持位置を離れ、前記給糸ボビンを開放して落下させ、さらに前記第２支持体または前記第３支持体によって、落下過程における前記給糸ボビンの小径端部の一端を受け止め、前記給糸ボビンの大径端部の一端を下方に向かって前記案内位置決め装置に落下させた後、前記トレイに装着し、そして、前記給糸ボビン搬送装置は前記給糸ボビン開放装置に次の給糸ボビンを搬送させ、給糸ボビン装着の動作を順次に循環的に完成することを特徴とする。
【００１６】
上記の技術案をさらに改善し、給糸ボビンが前記給糸ボビン搬送装置において搬出端まですぐ到着する際、前記第１支持体上に給糸ボビンをまだ開放していないと、前記制御システムは前記給糸ボビン搬送装置の運転を停止することを制御し、前記第1支持体上に給糸ボビンがなくなった後、前記給糸ボビン搬送装置を動作させ、前記給糸ボビン開放装置において支持位置にある前記第１支持体上に給糸ボビンを搬送し、そして、給糸ボビン装着の全ての動作を完成する。
【発明の効果】
【００１７】
本発明は従来技術に比べて、以下の利点と積極的効果がある。
【００１８】
１．本発明は、自動ワインダの給糸ボビン装着装置を提供し、その給糸ボビン開放装置は簡単且つコンパクトであり、給糸ボビンを開放する運動慣性が小さく、動程が短く、給糸ボビン装着のスピートを大幅に向上することができ、且つ給糸ボビンの引っ掛かる現象を回避することができる。また、製造コストを大幅に低減し、故障率も大幅に低下し、生産効率を向上することができる。
【００１９】
２．本発明の自動ワインダの給糸ボビン装着装置の給糸ボビン装着方法は、工程が短く、給糸ボビン装着効率を大幅に向上し、給糸ボビン装着速度は４０個/分以上である。
【図面の簡単な説明】
【００２０】
【図１】本発明の自動ワインダの給糸ボビン装着装置の構成図。
【図２】本発明の自動ワインダの給糸ボビン装着装置における部分の平面図。
【図３】本発明の自動ワインダの給糸ボビン装着装置における第１種開放給糸ボビンの簡略図。
【図４】本発明の自動ワインダの給糸ボビン装着装置における第２種開放給糸ボビンの簡略図。
【発明を実施するための形態】
【００２１】
次は付図を併せて本発明について詳細に説明をする。
図１〜図４に示すように、本発明の自動ワインダの給糸ボビン装着装置の実施例であり、給糸ボビン搬送装置と、給糸ボビンの大小径端部判別装置と、前記給糸ボビン搬送装置の搬出端側に偏って設置された給糸ボビン開放装置と、トレイ１２と、トレイ１２の上方に設置された案内位置決め装置と、制御システムと、を備える。前記給糸ボビン開放装置は、前記案内位置決め装置の上方に設置された第１支持体６と、第２支持体７と、第３支持体８と、伸縮駆動機構と、を備え、前記制御システムは、給糸ボビンの大小径端部判別装置の判別結果によって、前記伸縮駆動機構が前記第１支持体６、第２支持体７、第３支持体８を駆動する伸縮動作を制御し、前記給糸ボビン搬送装置が前記給糸ボビン開放装置における第１支持体６上まで搬送された給糸ボビンを開放させ、前記第２支持体または前記第３支持体によって給糸ボビンの小径端部の一端を受け止め、給糸ボビン２の大径端部の一端を下方に向かって前記案内位置決め装置に落下させた後、前記トレイ１２に装着することを特徴とする。
【００２２】
具体的には、前記給糸ボビン開放装置は、二枚の平行な側板５からなる給糸ボビン通路をさらに備え、前記給糸ボビン通路の底部に第１支持体６、第２支持体７、第３支持体８が設置され、前記第１支持体６は矩形状の平板または類似形状のものであり、前記第２支持体７と前記第３支持体８は棒状であり、例えば円柱状、角柱状である。
【００２３】
前記第１支持体６は傾斜して設置され、且つ前記給糸ボビン搬送装置の搬出端に近い一端は他端より高く、前記第２支持体７と前記第３支持体８は前記第１支持体の両端の下方に設置され、前記第２支持体７は前記第１支持体６の高い一端側に偏っており、前記第３支持体８は前記第１支持体６の低い一端側に偏っており、第２支持体７の位置は第３支持体８より高い。
【００２４】
前記伸縮駆動機構は、前記第１支持体６、第２支持体７及び第３支持体８の伸縮動作をそれぞれ駆動する三つの第１シリンダと、第２シリンダと、第３シリンダと、を備え、前記三つのシリンダは、制御システムによって各自の独立動作を制御される。
【００２５】
前記給糸ボビン搬送装置はモータ１−１に駆動されたコンベヤ１を備え、給糸ボビンの大小径端部判別装置はドア式センサ３であり、ドア式センサ３はコンベヤ１の上方を横切って、ドア式センサ３とコンベヤ１の頂面との間に給糸ボビン２を通過させる空間を残しており、ドア式センサ３の信号出力端は前記制御システムと接続されている。前記給糸ボビン搬送装置は、モータに駆動されたローラまたはその他類似の伝動形式でもよく、従来技術を用いてもよい。
【００２６】
コンベヤ１の給糸ボビン搬出端の近くに給糸ボビン到達検出センサ４が設置され、コンベヤ１の給糸ボビン搬入端の近くに給糸ボビン進入検出センサ１１が設置され、給糸ボビン到達検出センサ４と給糸ボビン進入検出センサ１１の信号出力端はどちらとも制御システムと接続されている。
【００２７】
前記案内位置決め装置は、上漏斗９と、上漏斗９の下方に設置された下漏斗１０と、を備え、上漏斗９の上端口は給糸ボビン２長さより大きく、上漏斗９の下端口は下漏斗１０の上端口より小さく、下漏斗１０の下端口は下漏斗１０の上端口より小さい。
【００２８】
本発明の上記の自動ワインダの給糸ボビン装着装置の給糸ボビン装着方法の具体的な実施形態は、トレイ式自動ワインダにおいて、給糸ボビン２が給糸ボビン搬送装置で搬送過程中に給糸ボビンの大小径端部判別装置を介して、給糸ボビンの大小径端部判別装置によって給糸ボビン２の大小径端部の前後方向を判別し、且つ制御システムに判別結果を伝送する。給糸ボビン搬送装置は給糸ボビン２を給糸ボビン開放装置における支持位置にある第１支持体６上に搬送しており、案内位置決め装置の下方でトレイ１２が給糸ボビン装着を待機している際、制御システムは給糸ボビンの大小径端部判別装置の判別結果によって、前記伸縮駆動機構が前記第１支持体６、第２支持体７、第３支持体８の伸縮動作を駆動することを制御し、第１支持体６は支持位置を離れ、給糸ボビン２を開放して落下させ、さらに第２支持体７または前記第３支持体８によって、落下過程における前記給糸ボビンの小径端部２−１の一端を受け止め、前記給糸ボビンの大径端部２−２の一端を下方に向かって前記案内位置決め装置に落下させた後、前記トレイ１２に装着し、そして、前記給糸ボビン搬送装置は給糸ボビン開放装置に次の給糸ボビン２を搬送させ、給糸ボビン装着の動作を順次に循環的に完成する。
【００２９】
上記の給糸ボビン装着方法において、給糸ボビン２が前記給糸ボビン搬送装置において搬出端まですぐ到着する際、第１支持体６上に給糸ボビン２をまだ開放していないと、制御システムは給糸ボビン搬送装置の運転を停止することを制御し、前記第1支持体６上に給糸ボビン２がなくなった後、給糸ボビン搬送装置を動作させ、給糸ボビン開放装置において支持位置にある第１支持体６上に給糸ボビン２を搬送し、そして、給糸ボビン装着の全ての動作を完成する。
【００３０】
図１〜図４に示すように、本発明の上述したような自動ワインダの給糸ボビン装着装置の装着方法の実施例は、トレイ式自動ワインダにおいて、給糸ボビン２はコンベヤ１における搬送過程で、ドア式センサ３を通過し、ドア式センサ３によって給糸ボビン２の大小径端部の前後方向を判別し、且つ制御システムに判別結果を伝送し、図２示すように、給糸ボビン２がドア式センサ３を通過する際、給糸ボビンの小径端部２−１は前にあり（図２の左側）、給糸ボビンの大径端部２−２は後ろにある（図２の右側）。コンベヤ１は給糸ボビン２を給糸ボビン開放装置における給糸ボビン経路の底部の支持位置にある第１支持体（矩形平板）６上に搬送し、案内位置決め装置の下方でトレイ１２などが給糸ボビン装着を待機している際、制御システムは、ドア式センサ３の判別結果によって前記伸縮駆動機構が前記第１支持体（矩形平板）６、第２支持体（円柱状）７、第三支持体（円柱状）８の伸縮動作を駆動することを制御する。具体的な実施形態は以下の通りである。第１シリンダの駆動によって第１支持体６を支持位置から離れて給糸ボビン２を開放して落下させ、さらに第２シリンダの駆動によって第２支持体７を支持位置に位置させ、第３シリンダの駆動によって第３支持体８を支持位置から離れ（図３に示す）、第２支持体７によって落下過程における給糸ボビンの小径端部２−１の一端を受け止め、給糸ボビンの大径端部２−２を下方に向かって上漏斗９と下漏斗１０にそれぞれ落下させ、トレイ１２に装着させ、そして、コンベヤ１はさらに給糸ボビン開放装置に次の給糸ボビン２を搬送させ、順次に給糸ボビン装着動作のサイクルを完成する。
【００３１】
若し給糸ボビンの小径端部２−１は後ろにあり、給糸ボビンの大径端部２−２は前にあると、具体的な実施形態は以下の通りである。第１シリンダの駆動によって第１支持体６を支持位置から離れて給糸ボビン２を開放して落下させ、さらに第３シリンダの駆動によって第３支持体８を支持位置に位置させ、第２シリンダによって第２支持体７を支持位置から離れ（図４に示す）、第３支持体８によって落下過程における給糸ボビンの小径端部２−１の一端を受け止め、給糸ボビンの大径端部２−２を下方に向かって上漏斗９と下漏斗１０にそれぞれ落下させ、トレイ１２に装着させ、そして、コンベヤ１はさらに給糸ボビン開放装置に次の給糸ボビン２を搬送させ、順次に給糸ボビン装着動作のサイクルを完成する。
【００３２】
勿論、上記の記載は本発明に対する制限ではなく、また、本発明は上記の実施例に限定されるものではなく、本技術分野の一般技術者は、本発明の実質的範囲において、変更、改善、追加や置換してもよく、それらも本発明の保護範囲に属するものである。
【図１】
0006650894.tif 000002
【図２】
0006650894.tif 000003
【図３】
0006650894.tif 000004
【図４】
0006650894.tif 000005